(57)【要約】【課題】車内に運転者所持以外の携帯電話が持ち込まれ、それらの携帯電話と車載機器とがデータ通信可能に接続されている時、車載機器の機能によって電話帳を表示して運転者が発信相手先を選択して発信する際に、搭乗者の携帯電話については無用な電話帳での表示や、発信を行わないようにした「電話帳表示車載機器」とする。【解決手段】車載機器にブルートゥース等により接続した運転者の携帯電話から外部に電話をかける時、発信相手先名と電話番号を登録してある電話帳を表示し、利用者が相手先名と電話番号を指示して発信を行うことができるようにした車載機器において、発信先名に対応した電話番号を表示する際には、車内に持ち込んで車載機器と接続している携帯電話については表示しないようにする。また利用者が指示した発信相手先名には車内持込携帯電話以外に１つだけ登録されている時には、直ちにその電話に対して発信する。【選択図】図１
2012235185.tif 000002
【特許請求の範囲】
【請求項１】
携帯電話を含む外部機器とデータ通信可能に接続し、接続した携帯電話の少なくとも発信相手先名と電話番号を取り込む車内持込外部機器データ通信手段と、
発信相手先名と、当該発信相手先名に対応した電話番号のデータを予め記憶し登録している電話帳データ記憶手段から電話帳データを読み出して、モニタに表示する電話帳表示用データを形成する電話帳表示用データ形成手段と、
前記電話帳表示用データ形成手段で形成した電話帳のデータにより、発信先名の表示に続き電話番号を順に表示する電話帳表示手段と、
前記電話帳表示手段で表示した発信相手先名、または当該発信先名に対応した電話番号を利用者が指示した時、指示した相手先の電話番号に、前記車載機器に接続した携帯電話により発信する指示を行う携帯電話発信指示手段とを備え、
前記電話帳表示用データ形成手段では、前記電話帳データ記憶手段に記憶している電話帳データ内に、発信相手先名に前記車内持込外部機器データ通信手段で取り込んだ前記外部機器に現在接続している携帯電話の電話番号が登録されている時には、当該携帯電話の電話番号を表示しない処理を行うことを特徴とする電話帳表示車載機器。
【請求項２】
前記携帯電話発信指示手段では、前記電話帳表示手段で表示している発信相手先名のいずれかを利用者が指示した時、当該発信相手先名に現在接続している携帯電話の電話番号と他の電話番号とが登録されている時には、当該発信相手先の電話番号を表示することなく、直ちに前記他の電話番号に対して発信指示することを特徴とする請求項１記載の電話帳表示車載機器。
【請求項３】
前記電話帳データ記憶手段は前記車載機器に備え、前記車内持込外部機器データ通信手段で車載機器と接続している携帯電話の電話帳データを取り込んで記憶することを特徴とする請求項１記載の電話帳表示車載機器。
【請求項４】
前記電話帳データ記憶手段は前記車載機器に接続した携帯電話に備え、前記電話帳表示用データ形成手段では、前記車内持込外部機器データ通信手段で当該携帯電話の電話帳データを取り込んで電話帳表示用データを形成することを特徴とする請求項１記載の電話帳表示車載機器。
【請求項５】
前記電話帳表示手段で表示している発信相手先名のいずれかを利用者が指示した時、当該発信相手先名には前記車内持込外部機器データ通信手段で取り込んだ車載機器に現在接続している携帯電話の電話番号のみが登録されている時には、発信相手先として適切ではない旨の警告を出力する警告出力手段を備えたことを特徴とする請求項１記載の電話帳表示車載機器。
【請求項６】
前記電話帳表示用データ形成手段では、前記電話帳データ記憶手段で記憶している発信相手先名に、前記車内持込外部機器データ通信手段で取り込んだ車載機器に現在接続している携帯電話の電話番号のみが登録されている時には、当該発信相手先名は表示しない処理を行うことを特徴とする請求項１記載の電話帳表示車載機器。
【発明の詳細な説明】
【技術分野】
【０００１】
本発明は、車両内に持ち込んだ携帯電話とヘッドユニットやナビゲーション装置等の車載機器をブルートゥース等によりデータ通信可能に接続した時、車載機器を介してその携帯電話で発信する際に、車載機器の表示部に電話帳を表示してその中から所望の発信先を選択することができるようにした電話帳表示車載機器に関する。
【背景技術】
【０００２】
携帯電話の普及により、ほとんどの人は携帯電話を所持して外出するようになっている。また、車両に搭載したヘッドユニットやナビゲーション装置、或いはナビゲーション機能付ヘッドユニット等の車載機器においては、特に運転者が車両の運転中に携帯電話を持って通話することは安全運転の観点から禁じられている。そのため、携帯電話と有線或いは無線で接続した車載機器が備えているハンズフリーユニットの機能により、車内のマイクと車両が搭載しているスピーカを利用し、或いはヘッドホン等を利用して、携帯電話を持たずに通話を行うことができるようにしている。
【０００３】
その際には、車載機器が前記のようなヘッドユニットの機能を備える以外に、マイクとヘッドホンやイヤホンをセットにして通話を行うことができるようにしたハンズフリーセットを用いる場合もある。このようなハンズフリーセットを車載機器に対して有線または無線で接続することともある。
【０００４】
近年は無線通信技術の進歩により、ブルートゥース等の無線通信機能を多くの機器が備えるようになっており、前記のような車載機器、携帯電話、ハンズフリーセット等においても無線通信により容易にデータ通信可能に接続することができるようになっている。その際には、ブルートゥース等の通信機能によって、相互に同様の機能を備えた機器が通信可能距離の範囲内に入ると、自動的に互いの機器を認識し、データ通信可能になるようにしている。
【０００５】
そのため、前記のように車内に運転者が携帯電話を所持して乗車すると、車載機器の作動と共に車載機器と携帯電話は互いに通信を行い、車載機器自体にハンズフリーユニットの機能を備える時には、車載機器において利用者から発信先の指示があった時には直ちに発信先に対して電話をかけ、通話を行うことができるようになる。また、別途同様の無線通信機能を備えたハンズフリーセットを用いる場合も同様の作動が可能となる。
【０００６】
このような車載機器からの発信を容易にするため、車載機器にこの車両の主たる利用者である運転者のための電話帳機能を用意している場合が多い。その場合には、運転者が電話をかけたいと思った時には所定の操作によって電話帳を表示させ、表示された相手先の中から任意の人を選択することによって車載機器がその相手先に発信するようにした機能を備えていることが多い。
【０００７】
一方前記と同様に、この車両内に他の人が搭乗し、その搭乗者も同様の通信機能を備えた携帯電話を所持している時には、前記車載機器はその携帯電話とも自動的に通信を行い、互いの機器の認識を行う。更に他の搭乗者が同様の通信機能を備えた携帯電話を所持して搭乗した時にも、車載機器とその携帯電話は互いの機器の認識を行うこととなる。
【０００８】
なお、携帯電話から自動転送された発信履歴データや着信履歴データのうちから所望の電話番号を選択して発信できるようにした車載ハンズフリー装置は特許文献１に開示されている。
【先行技術文献】
【特許文献】
【０００９】
【特許文献１】特開２００９−８１８２４号公報
【発明の概要】
【発明が解決しようとする課題】
【００１０】
前記従来の技術においては、例えば図４（ａ）に示すように、車両４１にヘッドユニットやナビゲーション装置のようなブルートゥース機能を備えた車載機器４２を搭載している時、この車両に運転者Ｐ４３が携帯電話Ｐ４７を所持して搭乗し、同様に助手席に搭乗者Ｑ４４が携帯電話Ｑ４８を所持して搭乗し、後部座席に搭乗者Ｒ４４が携帯電話Ｒ４９を所持して搭乗し、同様に搭乗者Ｓ４６が携帯電話Ｓ５０を所持して搭乗した状態の時、同図（ｂ）に示すように、各携帯電話のブルートゥースの通信機能によってヘッドユニット４２−１、ナビゲーション装置４２−２等の車載機器４２と自動的に通信を行う。なお、図４（ｂ）の例においてはブルートゥース機能を備えたハンズフリーセット５１も備え、車載機器４２或いは運転者Ｐ４３の携帯電話Ｐ４７と通信を行う例を示している。
【００１１】
上記のようなシステムにおいて、運転者Ｐが車内に持ち込んだ運転者の携帯電話を利用して電話をかけようとした時、車載機器が備えている電話操作機能によって、例えば図５（ａ）に示すような電話帳を表示させ、その中の任意の発信相手先を選択することにより電話をかけることができるようにしている。
【００１２】
この時車載機器に表示される電話帳のデータは、この車両を通常運転している利用者がこの車載機器において入力した相手先名と電話番号等のデータ、或いはこの車載機器と運転者の携帯電話とのデータ通信によって携帯電話から取り込んだ電話帳のデータ、或いは別途メモリカード等でパソコン等から取り込んだデータ等を用いて、車載機器の電話帳データとして記憶しておき、その電話帳のデータを読み出して表示することができる。
【００１３】
図５に示す電話帳の表示及び操作の例においては、前記のように電話帳を表示させる操作を行うことによって同図（ａ）に示すような発信相手先名のリスト表示から、適宜画面のスクロールを行って発信相手先を探し、その相手先にカーソルを移動し、或いはタッチパネル機能によってタッチして指示を行うことによって相手先の指示が行われる。
【００１４】
図５（ａ）の例では図示するような電話帳のリストの中で、ＡＡＡＡさんを指示した状態を示しており、ここで電話帳のデータの中にＡＡＡＡさんの電話は一つしか登録されていない時には、この電話帳の機能によって同図（ｄ）に示すように、直ちにＡＡＡＡさんに発信することとなる。
【００１５】
それに対してＡＡＡＡさんの電話番号が、例えば携帯電話と自宅の２つが登録されている時には、この電話帳の機能として同図（ｂ）に示すように、電話帳に登録されている２つの電話を選択する画面表示がなされ、ここで利用者が「自宅」を選択すると、同図（ｃ）に示すように確認の画面を表示し、利用者がその電話番号に電話することを確認指示した時、同図（ｄ）のように発信することとなる。
【００１６】
このような機能を備えた車載機器において、前記図４に示すように車内に運転者以外の搭乗者が携帯電話を所持して搭乗したとき、例えば搭乗者Ｑの自宅に電話をかけて連絡をとろうとした時、前記の電話帳の機能によって電話帳を表示させ、搭乗者Ｑさんの相手先名を指示すると、もしも搭乗者Ｑさんについて携帯電話しか電話帳に登録されていない場合には、前記図５（ａ）の状態から直ちに同図（ｄ）に進むように、直ちにＱさんの携帯電話に電話をかけることとなって、無意味な発信を行うこととなる。
【００１７】
また、電話帳に搭乗者Ｑさんについて携帯電話と自宅の２つの電話番号が登録されている時には、図４（ｂ）のようにいずれの電話を選択するのかの表示がなされ、その中から同図に示すように「自宅」を選択し、確認指示を行うことによって発信を行うことになる。このことは、そもそもこの操作を行っている運転者のＰさんにとって搭乗者Ｑさんの携帯電話に対して発信することはほとんどの場合あり得ないのに対して、前記のような電話の選択操作を行わなければならず、実質的には無意味な操作を行うこととなる。
【００１８】
したがって本発明は、車内に運転者所持以外の携帯電話が持ち込まれ、それらの携帯電話と車載機器とがデータ通信可能に接続されている時、車載機器の機能によって電話帳を表示して運転者が発信相手先を選択して発信する際に、搭乗者の携帯電話については無用な電話帳での表示を行うことがないようにし、また搭乗者の携帯電話には発信することがないようにした電話帳表示車載機器を提供することを主たる目的とする。
【課題を解決するための手段】
【００１９】
本発明に係る電話帳表示車載機器は、前記課題を解決するため、携帯電話を含む外部機器とデータ通信可能に接続し、接続した携帯電話の少なくとも発信相手先名と電話番号を取り込む車内持込外部機器データ通信手段と、発信相手先名と、当該発信相手先名に対応した電話番号のデータを予め記憶し登録している電話帳データ記憶手段から電話帳データを読み出して、モニタに表示する電話帳表示用データを形成する電話帳表示用データ形成手段と、前記電話帳表示用データ形成手段で形成した電話帳のデータにより、発信先名の表示に続き電話番号を順に表示する電話帳表示手段と、前記電話帳表示手段で表示した発信相手先名、または当該発信先名に対応した電話番号を利用者が指示した時、指示した相手先の電話番号に、前記車載機器に接続した携帯電話により発信する指示を行う携帯電話発信指示手段とを備え、前記電話帳表示用データ形成手段では、前記電話帳データ記憶手段に記憶している電話帳データ内に、発信相手先名に前記車内持込外部機器データ通信手段で取り込んだ前記外部機器に現在接続している携帯電話の電話番号が登録されている時には、当該携帯電話の電話番号を表示しない処理を行うことを特徴とする。
【００２０】
また、本発明に係る他の電話帳表示車載機器は、前記電話帳表示車載機器において、前記携帯電話発信指示手段では、前記電話帳表示手段で表示している発信相手先名のいずれかを利用者が指示した時、当該発信相手先名に、現在接続している携帯電話の電話番号と他の電話番号とが登録されている時には、当該発信相手先の電話番号を表示することなく、直ちに前記他の電話番号に対して発信指示することを特徴とする。
【００２１】
また、本発明に係る他の電話帳表示車載機器は、前記電話帳表示車載機器において、前記電話帳データ記憶手段は前記車載機器に備え、前記車内持込外部機器データ通信手段で車載機器と接続している携帯電話の電話帳データを取り込んで記憶することを特徴とする。
【００２２】
また、本発明に係る他の電話帳表示車載機器は、前記電話帳表示車載機器において、前記電話帳データ記憶手段は前記車載機器に接続した携帯電話に備え、前記電話帳表示用データ形成手段では、前記車内持込外部機器データ通信手段で当該携帯電話の電話帳データを取り込んで電話帳表示用データを形成することを特徴とする。
【００２３】
また、本発明に係る他の電話帳表示車載機器は、前記電話帳表示車載機器において、前記電話帳表示手段で表示している発信相手先名のいずれかを利用者が指示した時、当該発信相手先名には前記車内持込外部機器データ通信手段で取り込んだ車載機器に現在接続している携帯電話の電話番号のみが登録されている時には、発信相手先として適切ではない旨の警告を出力する警告出力手段を備えたことを特徴とする。
【００２４】
また、本発明に係る他の電話帳表示車載機器は、前記電話帳表示車載機器において、前記電話帳表示用データ形成手段では、前記電話帳データ記憶手段で記憶している発信相手先名に、前記車内持込外部機器データ通信手段で取り込んだ車載機器に現在接続している携帯電話の電話番号のみが登録されている時には、当該発信相手先名は表示しない処理を行うことを特徴とする。
【発明の効果】
【００２５】
本発明は上記のように構成したので、車内に運転者所持以外の携帯電話が持ち込まれ、それらの携帯電話と車載機器とがデータ通信可能に接続されている時、車載機器の機能によって電話帳を表示して運転者が発信相手先を選択して発信する際に、搭乗者の携帯電話については無用な電話帳での表示を行うことがないようにし、また搭乗者の携帯電話には発信することがないようにすることができる。
【図面の簡単な説明】
【００２６】
【図１】本発明の実施例の機能ブロック図である。
【図２】同実施例の作動フロー図である。
【図３】同実施例の作動態様を示す図である。
【図４】本発明が適用される車載機器と携帯電話等のシステム態様を示す図である。
【図５】従来例の作動態様を示す図である。
【発明を実施するための形態】
【実施例】
【００２７】
本発明の実施例を図面に沿って説明する。図１は本発明の機能ブロック図であり、本発明を各種の態様で実施することができるようにした例を示している。したがって本発明は、これらの機能ブロックの内、任意のものを選択して、各種の態様で実施することができる。なお、同図において各機能を行う機能部は、各機能を行う手段と言うこともできる。
【００２８】
図１に示す例においては、車両に搭載したヘッドユニットやナビゲーション装置等の車載機器の機能の一つとして、この車載機器に有線、或いはブルートゥース等の無線通信によって車内に持ち込まれた携帯電話とデータ通信可能に接続した時において、特に運転者が所持している携帯電話から発信する時に処理を行うための車載機器接続携帯電話発信処理部１の機能ブロックを中心に示している。
【００２９】
即ち、図１の車載機器接続携帯電話用発信処理部１においては、前記図４に示すように、車内に持ち込まれた携帯電話２として携帯電話２−１と２−２を示しており、これらは車載機器接続携帯電話用発信処理部１の車内持込外部機器データ通信部４と、最も標準的な例としてのブルートゥースによって無線通信を行う例を示している。
【００３０】
図１に示す例においては、ヘッドホンとマイクが一体になったハンズフリーセット３も車内持込外部機器データ通信部４と同様に接続し、その際には特に運転者が所持した携帯電話２−１とも同様にして接続し、それにより車内のスピーカやマイク等を使用せずに携帯電話で直接通話できるようにした例を示している。但し、本発明においてはこのようなハンズフリーセット３は必ずしも必要とされない。
【００３１】
車内持込外部機器データ通信部４は前記のようにブルートゥース等により外部機器と無線通信可能に接続するものであり、その無線通信の機能として車両に同様の無線通信機能を備えた携帯電話が持ち込まれた時、それらの無線通信可能範囲になることにより互いに機器の認識を行い、所定のデータ通信が可能となる。
【００３２】
その中の携帯電話通話送受信部５においては、特に運転者の携帯電話２−１と通信を行い、この車載機器に接続しているマイク、及びスピーカ、更には必要に応じてハンズフリーセット３を用いて、運転者が指示した発信先と通話可能とし、また外部から電話がかかってきた時にも通話可能としている。
【００３３】
車内持込携帯電話個有データ取込部６においては、前記のように車内に持ち込まれた携帯電話と通信を行って互いの機器の認識を行った時、車載機器側では接続した携帯電話について、その携帯電話に記録されている携帯電話の登録者名を携帯電話登録者名７の取込部で取り込み、その電話番号を電話番号８の取込部で取り込むようにしている。これらのデータはその後車内持込携帯電話データ記憶部１１に記憶し、後述する電話帳表示用データ形成部２４、及び発信先決定部１９等で用いることになる。
【００３４】
電話帳データ取込部９では、特に運転者の携帯電話２−１と通信を行い、その中に電話帳のデータが存在する時にはそれを取り込むことができるようにしている。ここで電話帳のデータを取り込んだ時には、電話帳データ書込・読出部１８によって後述する電話帳データ記憶部２１に書き込んで記憶する。
【００３５】
携帯電話発信指示部１０においては、後述するように利用者指示信号入力部１２の電話をかけるための発信先の指示があった時、発信先決定部１９が前記のような車内持込携帯電話データ記憶部１１に記憶している車内に持ち込まれた携帯電話を考慮して発信先を決定する時、その出力信号によって携帯電話に対して発信指示を行う。その発信指示信号は車内持込外部機器データ通信部４から、運転者が所持している携帯電話２−１に対して通話作動を行わせる。
【００３６】
車内持込携帯電話データ記憶部１１においては前記のように、車内に持込携帯電話データ通信部４の車内持込携帯電話個有データ取込部６で、車内に持ち込まれた携帯電話の携帯電話登録者名７及び電話番号８を取り込んだ時、これを記憶しておく。このデータは本発明において重要なデータであり、後述する電話帳表示用データ形成部２４における車載機器接続中電話非表示処理部２５で、また、発信先決定部１９における車載機器接続中電話発信先排除処理部２０で、それぞれ利用する。
【００３７】
利用者指示信号入力部１２においては、利用者からの各種手段による指示信号を入力するものであり、その中の電話帳作成用データ入力部１３では、この車載機器の機能の一つとして備えている電話帳機能を利用するため、電話帳データ記憶部２１に記憶するためのデータを入力する。
【００３８】
但し、電話帳データ記憶部２１に対して電話帳データを記憶させるには、前記のように運転者が所持している携帯電話と通信を行って、その電話帳のデータを取り込んで記憶させることもできるが、携帯電話にそのようなデータが存在しない時は別途手入力でデータ入力を行うこともできる。そのほかパソコン等で作成した電話帳データをメモリカードに書き込んで、この車載機器のメモリカードスロットに挿入する等によって電話帳データを入力することも可能である。
【００３９】
利用者指示信号入力部１２における電話帳表示指示１４の信号入力部では、運転者が電話をかけたいと思った時において、この電話帳の機能を用いて電話をかける時に、例えば画面に表示されている「電話帳」のマーク部分にタッチする等の、所定の操作を行うことにより電話帳表示指示を行う。そのような電話帳表示指示信号の入力により、後述するように電話帳表示用データ形成部２４は電話帳データ記憶部２１のデータを用いて電話帳表示用データの形成処理を行い、電話帳表示部２６でそのデータに基づいて、最初は発信先の相手先名のリストをモニタに表示することとなる。
【００４０】
発信先名指示１５の信号入力部では、前記のように電話帳表示指示１５によって電話帳がモニタに表示された時、最初に表示される発信相手先名のリストに対して、利用者が特定の発信相手先名にタッチする等によって指示する信号を入力する。その際にはモニタに表示された画面に従って、画面をスクロールする等の操作信号も入力する。
【００４１】
発信先電話番号指示１６の信号入力部では、電話帳の表示に際して最初前記のように発信相手先名のリスト表示において特定の発信相手先名を指示した時、後述する所定の処理を行って、その相手先名に例えば携帯電話と自宅の電話番号等の複数の電話番号が登録されていた時にその電話番号の選択画面が表示される時、その中の任意の電話番号を指示する際にここでその指示信号を入力する。
【００４２】
発信先電話番号１７の入力部では、運転者等の利用者が前記のような電話帳の機能によって電話をかけたいと思った時、その電話帳に所望の相手先名、或いは所望の電話番号が存在しない時、助手席の人に所定の電話番号の入力を依頼し、或いは運転者が車両を一時停止して電話番号の入力を行う等、この車載機器において電話番号の入力による携帯電話の発信を可能とする。
【００４３】
電話帳データ書込・読出部１８では、前記のように車内持込外部機器データ通信部４における電話帳データ取込部９で、運転者の携帯電話から電話帳データを取り込んだ時、これを電話帳データ記憶部２１に書き込んで記憶させる。また、運転者の携帯電話にそのような電話帳のデータがない時等において利用者が別途電話帳作成用データ入力部１３からデータを直接手入力する時には、これを電話帳データ記憶部２１に書き込む。そのほか前記のようにパソコン等で作成した電話帳のデータをメモリカード等によってこの車載機器に取り込んで電話帳データ記憶部２１に書き込むことも可能である。
【００４４】
電話帳データ書込・読出部１８において前記のように各種の手法によって電話帳データを電話帳データ記憶部２１に書き込んだとき、電話帳表示指示１４の信号入力があった時には、電話帳表示用データ形成部２４の処理のためにその電話帳データの読み出しを行う。但し、電話帳データを読み出した時に、指示した相手先の電話番号が１つしか登録されていない時等において、相手先名のみをモニタに表示のために読み出し、電話番号については表示のためではなく、直接その電話番号に通信を開始させるためのデータとして読み出す場合等も存在する。
【００４５】
発信先決定部１９では、電話帳表示部２６の処理により電話帳が表示されている時、主として利用者がその画面を見て直接発信先を決定し、携帯電話発信指示部１０で携帯電話から発信することとなる。但し本発明においては特に車載機器接続中電話発信先排除処理部２０を備え、１つの発信相手先名に２つの電話番号が登録されている場合には、その中の電話番号に現在この車載機器に接続している車内に持ち込んだ携帯電話が存在する時には、車内持込携帯電話データ記憶部１１のデータを用いてこれを検出し、その電話番号以外の電話番号を自動的に発信先に決定する処理を行う。
【００４６】
電話帳データ記憶部２１においては、前記のように電話帳データ書込・読出部１８の書込処理によって種々の手法で電話帳データを書き込んだ時これを記憶し、図示の例ではその際には少なくとも発信先名２２、及び電話番号２３のデータを記憶するようにしている。これらのデータは前記のように電話帳データ書込・読出部１８で読み出し、電話帳表示用データ形成部２４等で利用することとなる。
【００４７】
電話帳表示用データ形成部２４では、前記のように利用者から電話帳表示指示１４の入力があった時、電話帳データ記憶部２１のデータに基づいてモニタに表示するためのデータを形成するものであり、その際には最初に発信相手先名のリスト表示用データを形成し、その後相手先名に対する利用者の指示信号を入力して、その相手先名に対応する複数の電話番号が登録されている時に、そのいずれを発信先にするのかの発信先電話番号の指示信号を待つための表示を行う。
【００４８】
但し本発明においては特に車載機器接続中電話非表示処理部２５を備え、前記のように複数の電話番号が登録されている場合でも、車内持込携帯電話データ記憶部１１に記憶している、現在車載機器に接続している携帯電話についてはこれを表示しない処理を行う。それにより、発信相手先としては原則として存在し得ない車内に持ち込んだ携帯電話の電話を選択のための表示を行わないようにすることができる。
【００４９】
電話帳表示部２６においては、前記のように電話帳表示用データ形成部２４で形成した表示用データに基づいてモニタに電話帳を表示するものであり、その電話帳表示に際しては最初に発信先名２７の表示を行い、利用者がその中の任意の発信先名を指示した時、その発信先名に複数の電話番号が電話帳データ記憶部２１に記憶されている、即ち複数の電話番号が登録されている時には、そのいずれの電話番号の電話に対して発信するのか選択用に電話番号２８を表示する。ここでは、前記電話帳表示用データ形成部２４で前記のように処理したデータの表示を行うこととなる。
【００５０】
なお、この時の電話番号の表示に際しては、単にその電話番号を表示する以外に、例えば「携帯」「自宅」「会社」等の表示も行い、電話番号の選択を容易にする。また、ここでは電話番号の直接的な表示を行わずに「携帯」「自宅」「会社」等の表示でも良い時には、必ずしも電話番号を直接表示する必要はない。
【００５１】
警告出力部２９では、例えば電話帳表示部２６で発信相手先名を表示している時、利用者が指示した発信相手先名には現在車内に持ち込んでいる携帯電話のみであるような場合に、電話帳データと利用者の発信相手先名指示信号と、車内持込携帯電話データ記憶部１１のデータによってその状態を検出し、利用者の指示は車内持込携帯電話に対する発信指示であるので不適切である旨の表示或いは音声によって警告出力等を行う。
【００５２】
図１に示す機能ブロックからなる本発明の実施例においては、各種機能部を選択することにより種々の態様で実施することができるものであるが、例えば図２に示す作動フローに従って順に作動させることにより実施することができる。即ち図１に示す車載機器接続携帯電話発信処理の例においては、最初車載機器に対して、相手先名、電話番号等の電話帳登録を行うことから開始している（ステップＳ１）。
【００５３】
この時の電話帳登録に際しては、図１の例においては電話帳データ書込・読出部１８で前記のように車載機器と運転者が所持している携帯電話とがデータ通信可能に接続した時、その携帯電話に電話帳のデータが存在した時はそれを取り込むことにより電話帳登録を行うことができる。また、そのような電話帳のデータが存在しない時でも、電話帳作成用データ入力部１３で直接電話帳データを書き込むことにより作成することができ、また、パソコン等により作成した電話帳データをメモリカード等に記録して車載機器にそのデータをコピー等して登録することもできる。
【００５４】
また、図１の例においては車載機器に電話帳データ記憶部２１を備えて、電話帳のデータを全て車載機器側にも備える例を示したが、運転者が所持している携帯電話に所定形式の電話帳データの記憶部を備える時には、電話帳データ書込・読出部１５が車内持込外部機器データ通信部４の電話帳データ取込部９で、直接携帯電話の電話帳データ記憶部にアクセスし、その電話帳データを取り込みながら、以降の各種処理を行うことも可能である。
【００５５】
図２の例においてはその後車載機器と車内持込携帯電話をブルートゥース等によってデータ通信可能に接続し（ステップＳ２）、次いで車載機器と接続した携帯電話の電話番号を取り込んで記憶する（ステップＳ３）。前記ステップＳ１〜ステップＳ３の処理は、例えば車両に携帯電話を所持した運転者の他同様の搭乗者が存在する状態で車両のエンジンをかけ、車載機器が作動を開始した時には、車載機器においてこれらの処理を一括して行うことができる。
【００５６】
その後車載機器に接続している携帯電話から発信するための操作を行ったか否かを判別し（ステップＳ４）、未だそのような操作がなされていない時にはステップＳ１に戻って前記作動を繰り返し、新たな電話帳登録、車載機器と通信可能な携帯電話を所持した搭乗者の出入りへの対応処理を継続する。
【００５７】
ステップＳ４において車載機器に接続している携帯電話から発信するための、例えば「電話帳」機能を開始する操作指示等の所定の操作が行われたことを検出した時には、ステップＳ５に進んで、既登録の電話帳について特に発信する相手先名を表示する（ステップＳ５）。この処理は図１の例においては利用者指示信号入力部１２の電話帳表示指示１４の指示信号の入力により、電話帳データ書込・読出部１８が電話帳データ記憶部２１のデータを読み出し、電話帳表示用データ形成部２４で電話帳に登録されている発信相手先名のリストを形成し、電話帳表示部２６の発信先名２７の表示部でこれを表示することによって行っている。その際には例えば図３（ａ）に示すようなリスト表示を行う。この表示状態は前記図５（ａ）に示すリスト表示状態と同様の表示を行った例を示している。
【００５８】
なお、この相手先名の表示に際して、電話帳データ記憶部２１に記憶している発信相手先名、即ち電話帳に登録している発信相手先名を全て表示する以外に、発信相手先において電話番号が１つだけ登録されている時であって、それが車内持込携帯電話データ記憶部１１に記憶している電話番号の時には、そのような相手先には電話をかけることはあり得ないとして、その相手先名は表示しないようにすることもできる。したがって、図３（ａ）の例において、ＡＡＡＡさんの電話番号登録が１つのみの場合で、その電話が携帯電話であってこれを車内に持ち込んでいる時には、このＡＡＡＡさんについては発信相手先名として非表示にすることもできる。
【００５９】
但し前記のように登録している電話が現在車内に持ち込んでいる携帯電話のみの場合でも、その相手先名を一応表示し、その表示部分に特定の印、着色、フラッシュ表示等の所定の表示を行って、そのように表示されている相手先名については発信相手先としては適切ではないことを利用者に知らせるようにしても良い。
【００６０】
更に、前記のような相手先名についても相手先名を一応表示しておき、その相手先名を指示した時には、その相手先名に対応する電話番号は現在この車に搭乗している人の携帯電話である旨の警告案内表示等を行うようにしても良い。この時の例を図２の例においてはステップＳ１６、Ｓ１７の処理として示している。
【００６１】
図２に示す例においてはステップＳ５で既登録の電話帳の相手先名を表示した後、現在車載機器に接続している携帯電話の電話番号を読み込み（ステップＳ６）、次いで利用者が現在表示している電話帳の発信先を選択したか否かを判別している（ステップＳ７）。ここで利用者が表示されている発信相手先のリスト表示において、発信先を選択しなかったと判別した時にはステップＳ１３に進み、電話番号を直接入力して発信する。
【００６２】
即ち、前記のように発信先名のリストが表示され、その画面を適宜スクロールしても所望の相手先名が存在しなかった時には、この電話帳の機能による相手先への発信は行うことができないので、通常の電話発信操作と同様に、電話番号を直接入力して発信を行うこととなる。その時の操作は必ずしもこの車載機器において行う必要はなく、運転者がこの車両を停止した状態で携帯電話に対して直接電話番号入力する発信操作を行うこともできる。
【００６３】
ステップＳ７で利用者が現在表示している電話帳の発信先を選択したと判別した時には、ステップＳ８に進んで、発信先に選択した相手先には複数の電話番号が登録されているか否かを判別する。ここで発信先に選択した相手先には１つの電話番号のみが登録されていると判別した時にはステップＳ１６に進み、発信先に選択した相手先の電話番号は、現在この車載機器に接続している電話か否かを判別する。
【００６４】
図２の例においては、ステップＳ１６の判別において相手先に選択指示したその相手先の電話番号が、現在この車載機器に接続している電話であると判別した時には、ステップＳ１７に進んで、発信相手先の電話は現在車内に存在するので、発信相手先としては適切ではない旨の警告表示を行う。
【００６５】
それに対してステップＳ１６において発信先に選択した相手先の電話番号は現在車載機器に接続している電話ではないと判別した時にはステップＳ１２に進んで、利用者が選択指示した相手先名について唯一登録されている電話に対して発信する。この作動は図３において、同図（ａ）の発信相手先名のリスト表示からＡＡＡＡさんを利用者が指示した時、そのＡＡＡＡさんについて電話番号登録が１つの場合で、その電話を車内にもと込んでいない時に、同図（ｄ）のように発信することとなる。
【００６６】
一方、ステップＳ８において、発信先に選択した相手先には複数の電話番号が登録されていると判別した時には、ステップＳ９に進んで登録している複数の電話番号の内の１つは現在車載機器に接続している電話であるか否かを判別する。ここで登録している複数の電話番号には現在車載機器に接続している電話は存在しないと判別した時、即ち、複数の登録電話番号の電話は現在車内に存在しないと判別した時には、ステップＳ１４に進んで電話番号のリストを表示する。
【００６７】
この状態は図３（ｂ）に示しており、発信相手先として選択したＡＡＡＡさんには電話帳に登録している電話は「会社」と「自宅」とがあり、そのいずれを選択するかの画面表示を行っている。その後ステップＳ１５において、表示されている複数の電話番号の内のいずれかを選択することにより、その電話番号に発信することができる。この状態は図３（ｃ）において利用者が「自宅」を選択することにより、同図（ｄ）のようにその電話番号に対して発信する態様となる。
【００６８】
一方、図２の例においては、ステップＳ９で登録している複数の電話番号の内の１つは現在車載機器と接続している電話であると判別した時には、ステップＳ１０に進んで、登録している電話番号の内、現在接続している携帯電話以外に複数の電話番号は存在するか否かを判別する。即ちここでは、前記のようにステップＳ９において発信先に選択した相手先名について、３個以上の電話番号が登録されていることにより、登録している複数の電話番号の内の１つが現在車内に持ち込まれている場合でも、更に複数の電話番号が存在するか否かの判別を行うこととなる。
【００６９】
ステップＳ１０における判別の結果、登録している電話番号の内、現在接続している携帯電話以外には１つの電話番号しか存在しないと判別した時にはステップＳ１１に進み、現在登録している２つの電話番号の内、現在車載機器に接続していない電話番号を選択し、ステップＳ１２に進んでその相手先に直ちに発信する。
【００７０】
即ち、発信相手先に選択した相手先名には電話帳に登録している電話は２個のみであり、その内の一つが現在車載機器に接続している時、即ち現在車内に存在する時には、車内に存在する携帯電話に対して発信することは原則としてあり得ないと判断し、それ以外の電話番号に対して、特に電話番号の選択を行うことなしに直ちに発信する。
【００７１】
それに対してステップＳ１０において登録している電話番号の内、現在接続している携帯電話以外に複数の電話番号が存在すると判別した時、即ち発信相手先に選択した相手先名に対して３個以上の電話番号登録があり、その内の１個が現在車載機器に接続している車内の携帯電話である時には、車内の携帯電話以外に２個以上の電話が登録されていることになるので、その内のいずれに対して発信するのかの選択を行う必要がある。
【００７２】
そのため図２の例においては、ステップＳ１８において現在接続している電話番号以外の複数の電話番号を表示し、その後ステップＳ１９において利用者は現在表示している電話番号の内の一つを選択して発信する。この状態は図３（ａ）において利用者がＡＡＡＡさんを選択指示し、そのＡＡＡＡさんには電話帳に「携帯」「会社」「自宅」の３個の電話が登録されており、その内の「携帯」は現在車内に持ち込むことにより車載機器と接続していることによって電話番号のリストには「携帯」を選択する表示はされず、同図（ｂ）に示すように「会社」と「自宅」のみが表示されることとなる。その選択画面において「自宅」を利用者が選択すると、前記と同様に同図（ｃ）のような確認画面を表示し、その選択指示によって同図（ｄ）のような発信を行うこととなる。
【符号の説明】
【００７３】
１  車載機器接続携帯電話用発信処理部
２  携帯電話
３  ハンズフリーセット
４  車内持込外部機器データ通信部
５  携帯電話通話送受信部
６  車内持込携帯電話個有データ取込部
７  携帯電話登録者名
８  電話番号
９  電話帳データ取込部
１０  携帯電話発信指示部
１１  車内持込携帯電話データ記憶部
１２  利用者指示信号入力部
１３  電話帳作成用データ入力部
１４  電話帳表示指示
１５  発信先名指示
１６  発信先電話番号指示
１７  発信先電話番号
１８  電話帳データ書込・読出部
１９  発信先決定部
２０  車載機器接続中電話発信先排除処理部
２１  電話帳データ記憶部
２２  発信先名
２３  電話番号
２４  電話帳表示用データ形成部
２５  車載機器接続中電話非表示処理部
２６  電話帳表示部
２７  発信先名
２８  電話番号
２９  警告出力部
【図１】
2012235185.tif 000003
【図２】
2012235185.tif 000004
【図３】
2012235185.tif 000005
【図４】
2012235185.tif 000006
【図５】
2012235185.tif 000007